(57)【要約】【課題】人手を必要とせず、被検者が自分で瞳孔間隔を測定できる瞳孔間隔測定システムを提供すること。【解決手段】コンピュータＣＰは、演算部１と、入力部２と、ディスプレイ３とを備え、被検者が、ディスプレイ３と被検者の眼との間に立てた棒Ｐを、左眼と右眼のそれぞれで注視し、各眼と棒を結ぶ線分の延長線上にあるディスプレイ上の点を、入力部２によって特定すると、演算部１は、左眼と右眼のそれぞれで特定された画面上の２点の位置を取得し、この２点間の距離と、ディスプレイと棒との距離Ｘ１と、棒と被検者の眼との距離Ｘ２とに基づいて、被検者の瞳孔間隔を演算する。【選択図】　図２
2004049680.tif 000002
【特許請求の範囲】
【請求項１】
コンピュータは、演算部と、入力部と、ディスプレイとを備え、被検者が、ディスプレイと被検者の眼との間に立てた棒を、左眼と右眼のそれぞれで注視し、各眼と棒を結ぶ線分の延長線上にあるディスプレイ上の点を、入力部によって特定すると、演算部は、左眼と右眼のそれぞれで特定された画面上の２点の位置を取得し、この２点間の距離と、ディスプレイと棒との距離と、棒と被検者の眼との距離とに基づいて、被検者の瞳孔間隔を演算する瞳孔間隔測定システム。
【請求項２】
コンピュータは、演算部と、入力部と、ディスプレイとを備え、被検者が、ディスプレイと被検者の眼との間であって、被検者の顔面中央の前方に立てた１本の棒を、左眼と右眼のそれぞれで注視し、各眼と棒を結ぶ線分の延長線上にあるディスプレイ上の点を、入力部によって特定すると、演算部は、左眼と右眼のそれぞれで特定された画面上の２点の位置を取得し、この２点間の距離と、ディスプレイと棒との距離と、棒と被検者の眼との距離とに基づいて、被検者が両眼正面中央にあるものを見ているときの瞳孔間隔を演算する瞳孔間隔測定システム。
【発明の詳細な説明】
【０００１】
【発明の属する技術分野】
この発明は、検者がいなくても、被検者自身が自らの瞳孔間隔を測定する瞳孔間隔測定システムに関する。
【０００２】
【従来の技術】
従来、瞳孔間隔の測定方法としては、検者が被検者に向かい合って、被検者の上眼瞼または下眼瞼にメジャーを当ててその目盛を読む方法があった。
【０００３】
【発明が解決しようとする課題】
上記の測定方法は、人手を必要とするが、もし、被検者が自分で測定できれば、メガネ店の店員の労力を軽減できる。また、メガネ店では、一人一人の客に応対する時間が長くなるので、多くの客に迅速に対応できないことがある。したがって、客は長い待ち時間を強いられることになる。しかし、その待ち時間を使って、客自身に瞳孔間隔を測定してもらえば、退屈しのぎにもなる。さらに、自分で測ってもらえば、自分の眼に対する関心を喚起させることもできる。そこで、この発明は、店内に備えつけのパソコン等を用いて客自身が瞳孔間隔を測定できるようにすることを目的とするものである。
さらに、将来、客の自宅等のパソコンからインターネット等を介して、視力測定からメガネの注文までの一連の手続を行うことも考えられる。その場合、自分で瞳孔間隔を測定して、メガネ店のコンピュータに送信できれば便利である。
【０００４】
【課題を解決するための手段】
第１の発明は、コンピュータは、演算部と、入力部と、ディスプレイとを備え、被検者が、ディスプレイと被検者の眼との間に立てた棒を、左眼と右眼のそれぞれで注視し、各眼と棒を結ぶ線分の延長線上にあるディスプレイ上の点を、入力部によって特定すると、演算部は、左眼と右眼のそれぞれで特定された画面上の２点の位置を取得し、この２点間の距離と、ディスプレイと棒との距離と、棒と被検者の眼との距離とに基づいて、被検者の瞳孔間隔を測定する点に特徴を有する。
【０００５】
第２の発明は、コンピュータは、演算部と、入力部と、ディスプレイとを備え、被検者が、ディスプレイと被検者の眼との間であって、被検者の顔面中央の前方に立てた１本の棒を、左眼と右眼のそれぞれで注視し、各眼と棒を結ぶ線分の延長線上にあるディスプレイ上の点を、入力部によって特定すると、演算部は、左眼と右眼のそれぞれで特定された画面上の２点の位置を取得し、この２点間の距離と、ディスプレイと棒との距離と、棒と被検者の眼との距離とに基づいて、被検者が両眼正面中央にあるものを見ているときの瞳孔間隔を測定する点に特徴を有する。
【０００６】
【発明の実施の形態】
コンピュータＣＰは、図１に示すように、演算部１と、入力部２と、ディスプレイ３とを備えている。
なお、図示はしていないが、コンピュータＣＰが、通信回線を介して、他のコンピュータと接続していてもよい。
【０００７】
１本の棒を用いて瞳孔間隔を測定する方法を、図２に従い、説明する。
被検者は、ディスプレイ３の正面に座る。座る際、眼の高さを一定にするために、肘をつく等して、あごの位置を特定する。ディスプレイ３と眼の距離Ｌを測定する。図２では、右眼の瞳孔を点Ｑ、左眼の瞳孔を点Ｒで表しているが、線分ＱＲはディスプレイ３と平行でなければならない。ディスプレイ３と眼との間に一本の棒Ｐを立てる。そして、棒Ｐと画面との距離をＸ１、棒Ｐと眼との距離をＸ２とする。距離Ｌは測定されているので、Ｘ１又はＸ２のいずれか一方を測定すればよい。入力部２を介して、コンピュータＣＰにこれらの距離を入力する。
【０００８】
ディスプレイ３上に、１点を表示し、左右のいずれか片方の眼で、その表示した点を見る。この場合、ディスプレイ上に表示した点と当該点を見る眼を結ぶ線分上に、点Ｐが位置するように、眼の位置を特定する。次に、他方の眼で、棒Ｐを見ると、棒Ｐの位置がずれて見える。このずれた位置にある点を入力部２によって特定する。図２では、画面上の点Ｓを右眼Ｑで見た後、棒Ｐを動かさずに、左眼Ｒで棒Ｐを見た場合、画面上の点Ｔが特定されたことを表している。三角形ＰＱＲと三角形ＰＳＴは相似であり、相似比はＸ２：Ｘ１なので、演算部１は、瞳孔間隔である線分ＱＲの長さを計算し、ディスプレイ３に瞳孔間隔を表示する。
【０００９】
上記の実施例は、コンピュータを利用するものである。しかし、この発明は、コンピュータＣＰが無くても、ディスプレイ３の替わりに、視線と垂直な平面に張りつけた紙を用いても実施できる。この場合は、マウス等の入力部２の替わりに、鉛筆等の筆記具で紙上に点を打ち、演算部１に格納されたプログラムの替わりに、人手で計算をすればよい。要するに、この発明は、コンピュータＣＰの使用の有無にかかわらず、三角測量の考え方を用いて瞳孔間隔を計算で求めようとするものである。検者がいなくても、この計算までの過程はすべて被検者が一人で行うことが可能なので、人の手間を軽減できる。
【００１０】
ところで、人の瞳孔間隔は、だいたい６０ｍｍから７０ｍｍ程度といわれている。そのため、上記の実施例で算定した瞳孔間隔がこの範囲を著しく外れている場合は、ディスプレイ３上の点を入力部２によって特定する際に、ミスが発生したと考えられる。そこで、このような場合は、演算部１は、再度の測定を促すような警告をディスプレイ３に表示させることが望ましい。
【００１１】
【発明の効果】
第１〜第２の発明によれば、メガネ店内に備えつけのパソコンと１本の棒を利用して、客本人が、簡便に自分の瞳孔間隔を測定できる。店員の手間を軽減できるだけでなく、客も待ち時間をこの測定に利用できる。その他、将来、メガネ店に行かなくても、視力検査からメガネの発注までがインターネットを介して行えるようになった場合、自分で自分の瞳孔間隔を測定して、メガネ店のコンピュータに送信できるならば便利である。
【図面の簡単な説明】
【図１】このシステムの構成図である。
【図２】１本の棒とディスプレイとを用いて瞳孔間隔を測定する方法を示す図である。
【符号の説明】
ＣＰ　　コンピュータ
１　　　演算部
２　　　入力部
３　　　ディスプレイ
Ｐ　　　棒
Ｑ、Ｒ　両眼の瞳孔
Ｓ、Ｔ　画面上の点
Ｘ１　　ディスプレイ３と棒Ｐとの距離
Ｘ２　　棒Ｐと眼との距離
【図１】
2004049680.tif 000003
【図２】
2004049680.tif 000004